【事件の表示】
　特願２０１３−１３１６０９「ユーザインターフェースに基づいてファイル処理を行う方法及び端末装置」拒絶査定不服審判事件〔平成２６年　１月２３日出願公開、特開２０１４−　１３５６７、請求項の数（１０）〕について、次のとおり審決する。
【結　論】
　原査定を取り消す。
　本願の発明は、特許すべきものとする。
【理　由】
第１　手続の経緯
　本願は、平成２５年６月２４日（パリ条約による優先権主張２０１２年７月４日、中国）の出願であって、平成２６年２月２７日付けで拒絶理由が通知され、同年５月９日付けで手続補正がされ、同年１０月２４日付けで拒絶理由が通知され、平成２７年１月１９日付けで手続補正がされ、同年５月１２日付けで拒絶査定がなされ、これに対して、同年７月２９日に拒絶査定不服審判が請求されると共に手続補正がされたものである。
　
第２　平成２７年７月２９日付けの手続補正（以下、「本件補正」という。）の適否
１．補正の内容
　本件補正は、補正前の特許請求の範囲の請求項１を、補正後の特許請求の範囲の請求項１に変更する補正事項（以下、「補正事項１」という。）を含むものである。
　そして、補正前の請求項１及び補正後の請求項１の各記載は、それぞれ、以下のとおりである。
　なお、〈補正後の特許請求の範囲〉における下線は補正箇所を表している。
〈補正前の特許請求の範囲〉
　「【請求項１】
　ユーザインターフェースに基づいてファイルを処理する方法であって、
　前記ユーザインターフェースにおいて前記ファイルをドラッグするための操作命令が生成されているかどうかを検出し；
　前記操作命令が生成されていれば、前記操作命令に基づいて、外部インターフェースに対応する前記ユーザインターフェースの位置に、前記外部インターフェースに対応するアイコンを表示し；
　前記外部インターフェースに対応するアイコンが、前記ファイルを該アイコンにドラッグすることによりトリガーされているかどうかを検出し；及び、
　前記アイコンがトリガーされていれば、ドラッグされた前記ファイルを、前記アイコンに対応する前記外部インターフェースの機能を用いて処理することを含み、
　ドラッグされた前記ファイルを、前記アイコンに対応する前記外部インターフェースの機能を用いて処理することは、
　前記外部インターフェースがユニバーサルシリアルバスインターフェースであれば、ドラッグされた前記ファイルを伝送し；又は、
　前記外部インターフェースが赤外線伝送インターフェースであれば、ドラッグされた前記ファイルを伝送し；又は、
　前記外部インターフェースがWi-Fiインターフェースであれば、ドラッグされた前記ファイルを伝送し；又は、
　前記外部インターフェースが近接場型無線通信インターフェースであれば、ドラッグされた前記ファイルを伝送し；又は、
　前記外部インターフェースがイヤホンインターフェースであれば、ドラッグされた前記ファイルを再生し；又は、
　前記外部インターフェースがスピーカーインターフェースであれば、ドラッグされた前記ファイルを再生することを含む、方法。」
〈補正後の特許請求の範囲〉
「【請求項１】
　
タッチパネルに表示されている
　前記ユーザインターフェースにおいて前記ファイルをドラッグするための操作命令が生成されているかどうかを検出し；
　前記操作命令が生成されていれば、前記操作命令に基づいて、外部インターフェースに対応する前記ユーザインターフェースの位置に、前記外部インターフェースに対応するアイコンを表示し；
　前記外部インターフェースに対応するアイコンが、前記ファイルを該アイコンにドラッグすることによりトリガーされているかどうかを検出し；及び、
　前記アイコンがトリガーされていれば、ドラッグされた前記ファイルを、前記アイコンに対応する前記外部インターフェースの機能を用いて処理することを含み、
　ドラッグされた前記ファイルを、前記アイコンに対応する前記外部インターフェースの機能を用いて処理することは、
　前記外部インターフェースがユニバーサルシリアルバスインターフェースであれば、ドラッグされた前記ファイルを伝送し；又は、
　前記外部インターフェースが赤外線伝送インターフェースであれば、ドラッグされた前記ファイルを伝送し；又は、
　前記外部インターフェースがWi-Fiインターフェースであれば、ドラッグされた前記ファイルを伝送し；又は、
　前記外部インターフェースが近接場型無線通信インターフェースであれば、ドラッグされた前記ファイルを伝送し；又は、
　前記外部インターフェースがイヤホンインターフェースであれば、ドラッグされた前記ファイルを再生し；又は、
　前記外部インターフェースがスピーカーインターフェースであれば、ドラッグされた前記ファイルを再生することを含む、方法。」
２．補正の適否
　本件補正の内の補正事項１は、請求項１に記載した発明を特定するために必要な事項である、「ユーザインターフェース」について、「タッチパネルに表示されている」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「本願補正発明」という。）が特許法第１７条の２第６項において準用する同法第１２６条第７項の規定に適合するか（特許出願の際独立して特許を受けることができるものであるか）について、以下に検討する。
（１）引用例の記載事項と引用例記載の発明
　原査定で引用された、本願の優先日前に頒布された刊行物である、特開２００３−１５２６１５号公報（以下、「引用例１」という。）には、図面と共に以下の記載がある。
ａ）「【０００１】
【発明の属する技術分野】本発明はデータ通信装置、
データ通信方法
ｂ）「【００２４】図２に示すように、
ＰＤＡ２１は筐体ケース３０を有し、当該筐体ケース３０の正面３０Ａには、例えば液晶ディスプレイでなる表示部３１が設けられ
ｃ）「【００３０】さらに
表示部３１の下側には、透明な感圧フィルムでなるタッチパッド３５が設けられ、当該タッチパッド３５には、
文字等の入力や所定の操作を行うための仮想パッド３５（審判注：「仮想パッド３５」は「仮想パッド３５Ｅ」の誤記と認める。）
が設けられ
【００３１】
この仮想パッド３５Ｅは、通常モード時、
押圧されると、表示部３１に表示される所定画面上における例えばアイコンを選択する選択命令を入力し得ると共に、
表面をなぞられると、表示部３１に表示される所定画面上にあたかも文字や線等を書き込む書込命令を入力し得
【００３２】かかる構成に加えて、
筐体ケース３０の正面３０Ａにおける下端部には、ＰＤＡ２１に対しておよそ数[m] 四方の空間内に存在する通信対象装置と
データ通信を行わせるためのネットワークボタン３６が設けられ
【００３３】
このネットワークボタン３６が押下された場合、表示部３１には、仮想パッド３５Ｅの操作に追従して表示画面上を移動するカーソルが表示され
このとき仮想パッド３５Ｅは、通常モードから操作入力モードに移行し、
表示画面上のカーソルを移動させる移動命令を入力し得るようになされ
ｄ）「【００３５】
さらに仮想パッド３５Ｅは、操作入力モードにおいて、
クリック操作された後に当該仮想パッド３５Ｅから離すことなくなぞられる（以下、これをドラッグ操作と呼ぶ）と、選択されたアイコン等を移動するドラッグ命令を入力し得
ｅ）「【００５７】そしてＣＰＵ４０は、図６について上述した
個人カード画面ｄｉｓ１が表示部３１に表示されている際にネットワークボタン３６が押下されている場合、例えば
ＰＤＡ２２の方角Ｄｒ１に対応づけたデバイス特定領域ｄｉｓ３と、ＰＤＡ２２（審判注：「ＰＤＡ２２」は「ＰＤＡ２３，２５」の誤記と認める。）の方角Ｄｒ２及びＤｒ３に対応づけたデバイス特定領域ｄｉｓ４と、ＰＤＡ２２（審判注：「ＰＤＡ２２」は「ＰＤＡ２４」の誤記と認める。）の方角Ｄｒ１（審判注：「Ｄｒ１」は「Ｄｒ４」の誤記と認める。）に対応づけたデバイス特定領域ｄｉｓ２とを表示部３１の周端に表示
【００５８】その際、ＣＰＵ４０は、
ＰＤＡ２２〜２５からそれぞれ取得した種別データに基づくデバイスアイコン２２Ａ、２３Ａ、２４Ａ、２５Ａ
をＰＤＡ２２〜２５の方角Ｄｒ１〜Ｄｒ４に対応させてデバイス特定領域ｄｉｓ２〜ｄｉｓ４に表示
【００５９】これによりＣＰＵ４０は、
カーソルＣＬの移動し得る表示部３１における周端のデバイス特定領域ｄｉｓ２〜ｄｉｓ４内に、
ＰＤＡ２２〜２５を対応付け
【００６０】
このとき
仮想パッド３５Ｅによりクリック操作、ドラッグ操作及びドロップ操作されると、当該操作により仮想パッド３５Ｅから入力される各種命令に応じてカーソルＣＬを介して個人カード画面ｄｉｓ１を表示部３１上で移動させ得
【００６１】ここで、ＣＰＵ４０は、例えば図９に示すように
、仮想パッド３５Ｅにより例えば個人カード画面ｄｉｓ１上にカーソルＣＬが位置している状態でクリック操作されると、そのカーソルＣＬの位置を移動開始位置Ｘ１として検出
【００６２】
さらに
クリック操作されたまま例えばデバイス特定領域ｄｉｓ３上までドラッグ操作された後にドロップ操作されると、当該ドロップ操作された際のカーソルＣＬの位置を移動終了位置Ｘ２として検出
【００６３】この場合ＣＰＵ４０は、
ＰＤＡ２２の方角Ｄｒ１に対応づけたデバイス特定領域ｄｉｓ３内に移動終了位置Ｘ２（すなわちカーソルＣＬ）が含まれていることにより、個人カード画面ｄｉｓ１の移動が当該ＰＤＡ２２の存在する方角側であると判定
【００６４】そしてＣＰＵ４０は、フラッシュＲＯＭ４１に格納されている
個人カードデータを読み出し、これをデバイス特定領域ｄｉｓ３に対応付けた方角Ｄｒ１に存在するＰＤＡ２２にブルートゥースモジュール４４を介して送信する
ｆ）「【００６６】
また、
例えば個人カード画面ｄｉｓ１が複数のデバイスアイコン２３Ａ及び２５Ａを有するデバイス特定領域ｄｉｓ４上までドラッグ操作された後にドロップ操作されると、
通信装置選択画面ｄｉｓ５を表示部３１に表示して使用者に送信希望のＰＤＡ２３又は２５を選択させることにより、当該使用者の所望とする通信装置へ確実にデータを送信し得るようになされ
【００６７】これに対して、ＣＰＵ４０は、
通常のメニュー画面（例えばメインメニュー画面等）が表示部３１に表示されている際にネットワークボタン３６が押下された場合、
ＰＤＡ２２〜２５の方角Ｄｒ１〜Ｄｒ４に基づいてデバイス特定領域ｄｉｓ２〜ｄｉｓ４と、
各種個人データを表示するデータ表示画面ｄｉｓ６とを表示部３１に表示
【００６８】その際、ＣＰＵ４０は、
デバイスアイコン２２Ａ、２３Ａ、２４Ａ、２５Ａ
をＰＤＡ２２〜２５の方角Ｄｒ１〜Ｄｒ４に対応させてデバイス特定領域ｄｉｓ２〜ｄｉｓ４に表示すると共に、各種個人データの階層構造に応じてファイルアイコンＤ１又はフォルダアイコンＤ２としてデータ表示画面ｄｉｓ６内に表示
【００６９】ここで、ＣＰＵ４０は、図８及び図９について上述した場合と同様に、
仮想パッド３５Ｅにより例えばフォルダアイコンＤ２を移動開始位置Ｘ１からデバイス特定領域ｄｉｓ２上までドラッグ操作された後にドロップ操作されると、当該個人カード画面ｄｉｓ１のドロップ位置を移動終了位置Ｘ３として検出
【００７０】この場合ＣＰＵ４０は、
ＰＤＡ２４の方角Ｄｒ４に対応づけたデバイス特定領域ｄｉｓ２内に個人カード画面ｄｉｓ１の移動終了位置Ｘ３が含まれていることにより、フォルダアイコンＤ２の移動が当該ＰＤＡ２４の存在する方角側であると判定
【００７１】そしてＣＰＵ４０は、
フォルダアイコンＤ２に対応するデータをフラッシュＲＯＭ４１から読み出してＰＤＡ２２、２３、２４又は２５にブルートゥースモジュール４４を介して送信し得る
ｇ）「【００７３】
このように
実際のＰＤＡ２２〜２５との対応関係を使用者に視覚的に把握させるのみならず、所望のデータに対してドラッグ操作及びドロップ操作するだけで実際のＰＤＡ２２〜２５に送信し得るデバイス特定領域ｄｉｓ２〜ｄｉｓ４を表示し得る
　上記下線部及び関連箇所の記載によれば、引用例１には以下の発明（以下、「引用例１記載の発明」という。）が記載されている。
「ＰＤＡ２１は筐体ケース３０を有し、当該筐体ケース３０の正面３０Ａには、例えば液晶ディスプレイでなる表示部３１が設けられており、
　表示部３１の下側には、透明な感圧フィルムでなるタッチパッド３５が設けられ、当該タッチパッド３５には、文字等の入力や所定の操作を行うための仮想パッド３５Ｅが設けられており、
　この仮想パッド３５Ｅは、通常モード時、押圧されると、表示部３１に表示される所定画面上における例えばアイコンを選択する選択命令を入力し得ると共に、表面をなぞられると、表示部３１に表示される所定画面上にあたかも文字や線等を書き込む書込命令を入力し得るようになされており、
　筐体ケース３０の正面３０Ａにおける下端部には、ＰＤＡ２１に対しておよそ数[m] 四方の空間内に存在する通信対象装置とデータ通信を行わせるためのネットワークボタン３６が設けられており、
　このネットワークボタン３６が押下された場合、表示部３１には、仮想パッド３５Ｅの操作に追従して表示画面上を移動するカーソルが表示され、このとき仮想パッド３５Ｅは、通常モードから操作入力モードに移行し、表示画面上のカーソルを移動させる移動命令を入力し得るようになされており、
　さらに仮想パッド３５Ｅは、操作入力モードにおいて、クリック操作された後に当該仮想パッド３５Ｅから離すことなくなぞられる（以下、これをドラッグ操作と呼ぶ）と、選択されたアイコン等を移動するドラッグ命令を入力し得るようになされており、
　個人カード画面ｄｉｓ１が表示部３１に表示されている際にネットワークボタン３６が押下されている場合、例えばＰＤＡ２２の方角Ｄｒ１に対応づけたデバイス特定領域ｄｉｓ３と、ＰＤＡ２３，２５の方角Ｄｒ２及びＤｒ３に対応づけたデバイス特定領域ｄｉｓ４と、ＰＤＡ２４の方角Ｄｒ４に対応づけたデバイス特定領域ｄｉｓ２とを表示部３１の周端に表示し、
　ＰＤＡ２２〜２５からそれぞれ取得した種別データに基づくデバイスアイコン２２Ａ、２３Ａ、２４Ａ、２５ＡをＰＤＡ２２〜２５の方角Ｄｒ１〜Ｄｒ４に対応させてデバイス特定領域ｄｉｓ２〜ｄｉｓ４に表示し、
　カーソルＣＬの移動し得る表示部３１における周端のデバイス特定領域ｄｉｓ２〜ｄｉｓ４内に、ＰＤＡ２２〜２５を対応付け、
　このとき、仮想パッド３５Ｅによりクリック操作、ドラッグ操作及びドロップ操作されると、当該操作により仮想パッド３５Ｅから入力される各種命令に応じてカーソルＣＬを介して個人カード画面ｄｉｓ１を表示部３１上で移動させ得るようになされており、
　仮想パッド３５Ｅにより例えば個人カード画面ｄｉｓ１上にカーソルＣＬが位置している状態でクリック操作されると、そのカーソルＣＬの位置を移動開始位置Ｘ１として検出し、
　さらに、クリック操作されたまま例えばデバイス特定領域ｄｉｓ３上までドラッグ操作された後にドロップ操作されると、当該ドロップ操作された際のカーソルＣＬの位置を移動終了位置Ｘ２として検出し、
　ＰＤＡ２２の方角Ｄｒ１に対応づけたデバイス特定領域ｄｉｓ３内に移動終了位置Ｘ２（すなわちカーソルＣＬ）が含まれていることにより、個人カード画面ｄｉｓ１の移動が当該ＰＤＡ２２の存在する方角側であると判定し、
　個人カードデータを読み出し、これをデバイス特定領域ｄｉｓ３に対応付けた方角Ｄｒ１に存在するＰＤＡ２２にブルートゥースモジュール４４を介して送信し、
　また、例えば個人カード画面ｄｉｓ１が複数のデバイスアイコン２３Ａ及び２５Ａを有するデバイス特定領域ｄｉｓ４上までドラッグ操作された後にドロップ操作されると、通信装置選択画面ｄｉｓ５を表示部３１に表示して使用者に送信希望のＰＤＡ２３又は２５を選択させることにより、当該使用者の所望とする通信装置へ確実にデータを送信し得るようになされ、
　通常のメニュー画面（例えばメインメニュー画面等）が表示部３１に表示されている際にネットワークボタン３６が押下された場合は、
　ＰＤＡ２２〜２５の方角Ｄｒ１〜Ｄｒ４に基づいてデバイス特定領域ｄｉｓ２〜ｄｉｓ４と、各種個人データを表示するデータ表示画面ｄｉｓ６とを表示部３１に表示し、
　デバイスアイコン２２Ａ、２３Ａ、２４Ａ、２５ＡをＰＤＡ２２〜２５の方角Ｄｒ１〜Ｄｒ４に対応させてデバイス特定領域ｄｉｓ２〜ｄｉｓ４に表示すると共に、各種個人データの階層構造に応じてファイルアイコンＤ１又はフォルダアイコンＤ２としてデータ表示画面ｄｉｓ６内に表示し、
　仮想パッド３５Ｅにより例えばフォルダアイコンＤ２を移動開始位置Ｘ１からデバイス特定領域ｄｉｓ２上までドラッグ操作された後にドロップ操作されると、当該個人カード画面ｄｉｓ１のドロップ位置を移動終了位置Ｘ３として検出し、
　ＰＤＡ２４の方角Ｄｒ４に対応づけたデバイス特定領域ｄｉｓ２内に個人カード画面ｄｉｓ１の移動終了位置Ｘ３が含まれていることにより、フォルダアイコンＤ２の移動が当該ＰＤＡ２４の存在する方角側であると判定し、
　フォルダアイコンＤ２に対応するデータをフラッシュＲＯＭ４１から読み出してＰＤＡ２２、２３、２４又は２５にブルートゥースモジュール４４を介して送信する
　データ通信方法。」
（２）対比
　本願補正発明と引用例１記載の発明とを対比する。
ア．引用例１記載の発明の「タッチパッド３５」は、「表示部３１」に設けられたものであるから、本願補正発明の「タッチパネル」に相当する。
　また、引用例１記載の発明の「データ通信方法」は、「各種個人データを」「ファイルアイコンＤ１又はフォルダアイコンＤ２としてデータ表示画面ｄｉｓ６内に表示し」、「例えばフォルダアイコンＤ２を移動開始位置Ｘ１からデバイス特定領域ｄｉｓ２上までドラッグ操作された後にドロップ操作されると」、「フォルダアイコンＤ２に対応するデータをフラッシュＲＯＭ４１から読み出してＰＤＡ２２、２３、２４又は２５にブルートゥースモジュール４４を介して送信する」ものであり、「ファイルアイコンＤ１」についても「フォルダアイコンＤ２」と同様に処理が行われるのは明らかであるから、「ファイルアイコン」の操作に基づいて「ファイルアイコン」に対応するデータを処理する方法ともいい得るものであり、「ファイルアイコン」は「ユーザインターフェース」の一部であることを考慮すれば、本願補正発明の「タッチパネルに表示されているユーザインターフェースに基づいてファイルを処理する方法」に相当する。
イ．上記ア．に述べたように、引用例１記載の発明は、「ファイルアイコン」の「ドラッグ操作」及び「ドロップ操作」により、「ファイルアイコン」に対応するデータを処理するものであるから、引用例１記載の発明が「ファイルアイコン」に対する「ドラック命令」の入力を検出していることは明らかであり、引用例１記載の発明は、本願補正発明の「前記ユーザインターフェースにおいて前記ファイルをドラッグするための操作命令が生成されているかどうかを検出」することに相当する構成を有するといえる。
ウ．引用例１記載の発明は「ＰＤＡ２１に対しておよそ数[m] 四方の空間内に存在する通信対象装置とデータ通信を行わせるためのネットワークボタン３６が」「押下されている場合、」「デバイスアイコン２２Ａ、２３Ａ、２４Ａ、２５ＡをＰＤＡ２２〜２５の方角Ｄｒ１〜Ｄｒ４に対応させてデバイス特定領域ｄｉｓ２〜ｄｉｓ４に表示」するものである。
　ここで、「通信対象装置」である「ＰＤＡ２２〜２５」は、ネットワークを介して「ＰＤＡ２１」接続されるものであるから、「外部インターフェース」を介して接続される機器といい得るものであり、引用例１記載の発明が、「ＰＤＡ２２〜２５の方角Ｄｒ１〜Ｄｒ４に対応させて」「デバイスアイコン２２Ａ、２３Ａ、２４Ａ、２５Ａ」を「デバイス特定領域ｄｉｓ２〜ｄｉｓ４」に表示することは、本願補正発明の「外部インターフェースに対応する前記ユーザインターフェースの位置に、前記外部インターフェースに対応するアイコンを表示」することに相当する。
　もっとも、本願補正発明は、「ファイルをドラッグするための操作命令が生成されていれば、前記操作命令に基づいて」、アイコンを表示するのに対し、引用例１記載の発明は「ネットワークボタン３６が押下された場合」にデバイスアイコンを表示するものであり、この点において両者は相違する。
エ．引用例１記載の発明は「デバイスアイコン２２Ａ、２３Ａ、２４Ａ、２５ＡをＰＤＡ２２〜２５の方角Ｄｒ１〜Ｄｒ４に対応させてデバイス特定領域ｄｉｓ２〜ｄｉｓ４に表示」し、「例えばフォルダアイコンＤ２を移動開始位置Ｘ１からデバイス特定領域ｄｉｓ２上までドラッグ操作された後にドロップ操作されると、当該個人カード画面ｄｉｓ１のドロップ位置を移動終了位置Ｘ３として検出し、ＰＤＡ２４の方角Ｄｒ４に対応づけたデバイス特定領域ｄｉｓ２内に個人カード画面ｄｉｓ１の移動終了位置Ｘ３が含まれていることにより、フォルダアイコンＤ２の移動が当該ＰＤＡ２４の存在する方角側であると判定」するものであるから、引用例１記載の発明は、「フォルダアイコン」のドラッグの「デバイス特定領域」に応じて、当該「デバイス特定領域」に含まれる「デバイスアイコン」に対応する「ＰＤＡ」をフォルダ移動先として判定するものである。
　そして、上記ア．に記載したように、「ファイルアイコン」についても「フォルダアイコン」と同様の処理が行われることは明らかであるから、引用例１記載の発明は、「ファイルアイコン」のドラッグ先の「デバイス特定領域」に応じて、当該「デバイス特定領域」に含まれる「デバイスアイコン」に対応する「ＰＤＡ」をファイル移動先として判定するものであり、当該判定することは、「ファイルアイコン」のドラッグにより、移動先である「ＰＤＡ」を表す「デバイスアイコン」をトリガーするともいい得ることであるから、引用例１記載の発明は、本願補正発明の「前記外部インターフェースに対応するアイコンが、前記ファイルを該アイコンにドラッグすることによりトリガーされているかどうかを検出」することに相当する構成を有するといえる。
オ．引用例１記載の発明は、上記エ．に記載された「判定」に基づいて、「対応するデータをフラッシュＲＯＭ４１から読み出し」「ブルートゥースモジュール４４を介して送信する」ものであるから、判定結果に応じて「ファイルアイコン」に対応するデータを読み出し、移動先となる「ＰＤＡ」へ「ブルートゥースモジュール４４」を介して送信するものであり、移動先である「ＰＤＡ」を表す「デバイスアイコン」がトリガーされる場合に、ドラッグされた「ファイルアイコン」に対応するデータを前記「デバイスアイコン」に対応する「ブルートゥースモジュール」の機能を用いて処理するともいい得るものであり、引用例１記載の発明は、本願補正発明の「前記アイコンがトリガーされていれば、ドラッグされた前記ファイルを、前記アイコンに対応する前記外部インターフェースの機能を用いて処理する」ことに相当する構成を有するといえる。
カ．引用例１記載の発明が、上記エ．に記載された「判定」に基づいて、「対応するデータを」「ブルートゥースモジュール４４を介して送信」することは、「近接場型無線通信インターフェース」により「ドラッグされた前記ファイルを伝送」するともいい得ることであるから、引用例１記載の発明は、本願補正発明の「ドラッグされた前記ファイルを、前記アイコンに対応する前記外部インターフェースの機能を用いて処理することは、
　前記外部インターフェースがユニバーサルシリアルバスインターフェースであれば、ドラッグされた前記ファイルを伝送し；又は、
　前記外部インターフェースが赤外線伝送インターフェースであれば、ドラッグされた前記ファイルを伝送し；又は、
　前記外部インターフェースがWi-Fiインターフェースであれば、ドラッグされた前記ファイルを伝送し；又は、
　前記外部インターフェースが近接場型無線通信インターフェースであれば、ドラッグされた前記ファイルを伝送し；又は、
　前記外部インターフェースがイヤホンインターフェースであれば、ドラッグされた前記ファイルを再生し；又は、
　前記外部インターフェースがスピーカーインターフェースであれば、ドラッグされた前記ファイルを再生することを含む」ことに相当する構成を有するといえる。
　したがって、両者は以下の一致点と相違点を有する。
〈一致点〉
「タッチパネルに表示されているユーザインターフェースに基づいてファイルを処理する方法であって、
　前記ユーザインターフェースにおいて前記ファイルをドラッグするための操作命令が生成されているかどうかを検出し；
　外部インターフェースに対応する前記ユーザインターフェースの位置に、前記外部インターフェースに対応するアイコンを表示し；
　前記外部インターフェースに対応するアイコンが、前記ファイルを該アイコンにドラッグすることによりトリガーされているかどうかを検出し；及び、
　前記アイコンがトリガーされていれば、ドラッグされた前記ファイルを、前記アイコンに対応する前記外部インターフェースの機能を用いて処理することを含み、
　ドラッグされた前記ファイルを、前記アイコンに対応する前記外部インターフェースの機能を用いて処理することは、
　前記外部インターフェースがユニバーサルシリアルバスインターフェースであれば、ドラッグされた前記ファイルを伝送し；又は、
　前記外部インターフェースが赤外線伝送インターフェースであれば、ドラッグされた前記ファイルを伝送し；又は、
　前記外部インターフェースがWi-Fiインターフェースであれば、ドラッグされた前記ファイルを伝送し；又は、
　前記外部インターフェースが近接場型無線通信インターフェースであれば、ドラッグされた前記ファイルを伝送し；又は、
　前記外部インターフェースがイヤホンインターフェースであれば、ドラッグされた前記ファイルを再生し；又は、
　前記外部インターフェースがスピーカーインターフェースであれば、ドラッグされた前記ファイルを再生することを含む、方法。」
〈相違点〉
　本願補正発明は、「ファイルをドラッグするための操作命令」が生成されていれば、「前記操作命令に基づいて、外部インターフェースに対応する前記ユーザインターフェースの位置に、前記外部インターフェースに対応するアイコンを表示」するものであるのに対し、引用例１記載の発明は、「ネットワークボタン３６が押下された場合」に「デバイスアイコン」（外部インターフェースに対応するアイコン）を表示するものである点。
（３）判断
〈相違点についての判断〉
　引用例１自体には、引用例１記載の発明において、ドラッグ操作が行われたことに基づいて「デバイスアイコン」（外部インターフェースに対応するアイコン）を表示するものとすることを示唆する記載はない。
　また、原査定で提示された、国際公開第２０１１／１２５８３１号（以下、「引用例２」という。）にも、前置報告書で新たに提示されたいずれの文献にも、ドラッグ操作が行われたことに基づいて「デバイスアイコン」（外部インターフェースに対応するアイコン）を表示することは、記載されておらず、また、そのようにすることを示唆する記載も見当たらない。
　したがって、引用例１，２及び前置報告書で提示された文献によっては、上記相違点の克服が容易であったとはいえない。
　よって、本願補正発明は、引用例１記載の発明に基づいて当業者が容易に発明をすることができたものとはいえない。
　他に、本願補正発明を、特許出願の際独立して特許を受けることができないものというべき理由も発見しない。
　よって、本件補正の補正事項１は、特許法第１７条の２第６項において準用する同法第１２６条第７項の規定に適合する。
　本件補正のその余の補正事項についても、特許法第１７条の２第３項ないし第６項の規定に違反するところはない。
３．むすび
　以上のとおり本件補正は、特許法第１７条の２第３項ないし第６項の規定に適合する。
第３　本願発明について
　本件補正は上記のとおり、特許法第１７条の２第３項ないし第６項の規定に適合するから、本願の請求項１〜１０に係る発明は、本件補正により補正された特許請求の範囲の請求項１〜１０に記載された事項により特定されるとおりのものである。
　そして、本願については、原査定の拒絶理由を検討してもその理由によって拒絶すべきものとすることはできない。
　また、他に本願を拒絶するべき理由を発見しない。